(57)【要約】  【課題】複数の冷却器を備えたものにおいて、冷却器と除霜関連部品の組立て性を向上した冷蔵庫を提供する。  【解決手段】冷蔵室３４と冷凍室３８を独立して冷却する冷却器を備えた冷蔵庫において、冷凍用冷却ユニット６１と冷蔵用冷却ユニット５６ａと、それぞれの除霜関連部品をあらかじめ一体に組み込んで冷却ユニットを構成し、前記冷却ユニットをそれぞれ独立して冷蔵室３４と冷凍室３８の内箱後方に開口した開口部６７ａ，６７ｂに発泡断熱材が充填される側から取り付けたものであり、冷蔵庫本体への組み込み前に別途冷却器や除霜関連部品の組み立てを行うことができ、冷蔵庫奥の狭い空間で冷却器や除霜関連部品を組み込んでいく作業から解放され、かつ組み立て精度が向上する。【選択図】図５
2006010239.tif 000002
【特許請求の範囲】
【請求項１】
外箱と、内箱と、前記外箱と内箱の空間に発泡断熱材を充填して形成される断熱箱体と、前記断熱箱体を断熱区画壁により上部貯蔵室と下部貯蔵室に区画し、それぞれの貯蔵室を独立して冷却する冷却器とを有する冷蔵庫において、前記冷却器と前記冷却器の除霜関連部品をあらかじめ一体に組み込んで冷却ユニットを構成し、前記冷却ユニットをそれぞれ独立して上部貯蔵室と下部貯蔵室の内箱後方に開口した開口部に前記発泡断熱材が充填される側から取り付けたことを特徴とする冷蔵庫。
【請求項２】
外箱と、内箱と、前記外箱と内箱の空間に発泡断熱材を充填して形成される断熱箱体と、前記断熱箱体を断熱区画壁により上部貯蔵室と下部貯蔵室に区画し、それぞれの貯蔵室を独立して冷却する冷却器と前記冷却器で冷却した冷気を前記貯蔵室内に循環させる送風ファンとを有する冷蔵庫において、前記冷却器と前記冷却器の除霜関連部品と送風ファンをあらかじめ一体に組み込んで冷却ユニットを構成し、前記冷却ユニットをそれぞれ独立して上部貯蔵室と下部貯蔵室の内箱後方に開口した開口部に前記発泡断熱材が充填される側から取り付けたことを特徴とする冷蔵庫。
【請求項３】
上部貯蔵室は冷蔵室、下部貯蔵室は断熱仕切体により区画された冷凍室と野菜室とし、下部貯蔵室冷却用冷却ユニットは野菜室背面に配置したことを特徴とする請求項１または２に記載の冷蔵庫。
【請求項４】
上部貯蔵室は冷蔵室、下部貯蔵室は断熱仕切体により区画された冷凍室と野菜室とし、下部貯蔵室冷却用冷却ユニットは冷凍室背面に配置したことを特徴とする請求項１または２に記載の冷蔵庫。
【請求項５】
水受け皿は樹脂のヒンジ機構部を薄肉化し、冷却器ユニットと一体化したことを特徴とする請求項１から請求項４のいずれか一項に記載の冷蔵庫。
【請求項６】
除霜関連部品は少なくとも除霜ヒーターと除霜終了検知器とよりなることを特徴とする請求項１から請求項４のいずれか一項に記載の冷蔵庫。
【請求項７】
冷却器から圧縮機に接続される毛細管と吸入管を冷却ユニットごとに構成することを特徴とする請求項１から請求項６のいずれか一項に記載の冷蔵庫。
【発明の詳細な説明】
【技術分野】
【０００１】
本発明は、冷蔵庫の冷却ユニット取付け構造に関するものである。
【背景技術】
【０００２】
従来、この種の冷蔵庫の冷却器ユニット取付け構造として、背面から挿入するものがある（例えば、特許文献１参照）。
【０００３】
図６は特許文献１に記載された従来の冷蔵庫の断面図である。１は冷蔵庫本体であって内箱２と外箱３と発泡断熱材４によって断熱箱体を構成し、扉５により貯蔵室６を形成している。７は冷却器であり、冷却器７には除霜温度検知用センサーが取り付けられている。冷却器７の下方には除霜ヒーターと除霜水排水用水受け皿８を配置し、冷却ユニットを構成している。内箱２と外箱３の間には冷却器７へ冷媒を送る吸入管と除霜センサーと除霜ヒーターに電気を送る配線が断熱材発泡前に取り付けられており、前記冷却ユニットを内箱２の背面に設けた穴から挿入し、その後、断熱材４を充填発泡している。
【０００４】
以上のような構成により、冷却ユニット挿入後、断熱材４を発泡し、吸入管とロウ付けし、内箱２に配置される。除霜センサー及び除霜ヒーター８も断熱材４発泡後取り付け、配線の結束を行う構成である。
【特許文献１】特開２００３−１２１０６６号公報
【発明の開示】
【発明が解決しようとする課題】
【０００５】
しかしながら、上記従来の構成は、冷却ユニットが１台と限定した場合であり、複数の冷却器を備えた場合に、各冷却ユニットの配管を接続する必要がある。
【０００６】
本発明は、上記従来の課題を解決するもので、複数の冷却器を備えた場合の組立性の向上を図った冷蔵庫を提供することを目的とする。
【課題を解決するための手段】
【０００７】
上記従来の課題を解決するために、本発明の冷蔵庫は、外箱と、内箱と、前記外箱と内箱の空間に発泡断熱材を充填して形成される断熱箱体と、前記断熱箱体を断熱区画壁により上部貯蔵室と下部貯蔵室に区画し、それぞれの貯蔵室を独立して冷却する冷却器とを有する冷蔵庫において、前記冷却器と前記冷却器の除霜関連部品をあらかじめ一体に組み込んで冷却ユニットを構成し、前記冷却ユニットをそれぞれ独立して上部貯蔵室と下部貯蔵室の内箱後方に開口した開口部に前記発泡断熱材が充填される側から取り付けたものである。
【０００８】
これによって、冷蔵庫本体への組み込み前に別途冷却器や除霜関連部品の組み立てを行うことができ、冷蔵庫奥の狭い空間で冷却器や除霜関連部品を組み込んでいく作業から解放され、かつ組み立て精度が向上する。
【発明の効果】
【０００９】
本発明の冷蔵庫は、冷却器と前記除霜関連部品を一体に組み込んで構成した冷却ユニットを内箱の貯蔵室背面に開口された開口部に、発泡断熱材が充填される側から取り付けたので、冷蔵庫本体への組み込み前に冷却ユニットを組み立てられ、冷蔵庫奥の狭い空間で冷却器や除霜関連部品を組み込む作業から解放され、かつ組み立て精度が向上することができる。
【００１０】
また、冷却器と除霜関連部品と送風ファンを一体に組み込んで構成した冷却ユニットを内箱の貯蔵室背面に開口された開口部に、発泡断熱材が充填される側から取り付けたので、冷蔵庫本体への組み込み前に別途冷却器や除霜関連部品，送風ファンの組み立てを行うことができ、冷蔵庫奥の狭い空間で冷却器や除霜関連部品，送風ファンを組み込む作業から解放され、かつ組み立て精度が向上することができる。
【発明を実施するための最良の形態】
【００１１】
請求項１に記載の発明は、外箱と、内箱と、前記外箱と内箱の空間に発泡断熱材を充填して形成される断熱箱体と、前記断熱箱体を断熱区画壁により上部貯蔵室と下部貯蔵室に区画し、それぞれの貯蔵室を独立して冷却する冷却器とを有する冷蔵庫において、前記冷却器と前記冷却器の除霜関連部品をあらかじめ一体に組み込んで冷却ユニットを構成し、前記冷却ユニットをそれぞれ独立して上部貯蔵室と下部貯蔵室の内箱後方に開口した開口部に前記発泡断熱材が充填される側から取り付けたものであり、冷蔵庫本体への組み込み前に別途冷却器や除霜関連部品の組み立てを行うことができ、冷蔵庫奥の狭い空間で冷却器や除霜関連部品を組み込んでいく作業から解放され、かつ組み立て精度が向上する。
【００１２】
請求項２に記載の発明は、外箱と、内箱と、前記外箱と内箱の空間に発泡断熱材を充填して形成される断熱箱体と、前記断熱箱体を断熱区画壁により上部貯蔵室と下部貯蔵室に区画し、それぞれの貯蔵室を独立して冷却する冷却器と前記冷却器で冷却した冷気を前記貯蔵室内に循環させる送風ファンとを有する冷蔵庫において、前記冷却器と前記冷却器の除霜関連部品と送風ファンをあらかじめ一体に組み込んで冷却ユニットを構成し、前記冷却ユニットをそれぞれ独立して上部貯蔵室と下部貯蔵室の内箱後方に開口した開口部に前記発泡断熱材が充填される側から取り付けたものであり、冷蔵庫本体への組み込み前に別途冷却器や除霜関連部品，送風ファンの組み立てを行うことができ、冷蔵庫奥の狭い空間で冷却器や除霜関連部品，送風ファンを組み込んでいく作業から解放され、かつ組み立て精度が向上する。
【００１３】
請求項３に記載の発明は、請求項１または２に記載の発明において、上部貯蔵室は冷蔵室、下部貯蔵室は断熱仕切体により区画された冷凍室と野菜室とし、下部貯蔵室冷却用冷却ユニットは野菜室背面に配置したことにより、野菜室背面にマイナス域の温度帯が確保でき、野菜室を輻射冷却することができる。
【００１４】
請求項４に記載の発明は、請求項１または２に記載の発明において、上部貯蔵室は冷蔵室、下部貯蔵室は断熱仕切体により区画された冷凍室と野菜室とし、下部貯蔵室冷却用冷却ユニットは冷凍室背面に配置したことにより、組み込んだ冷却器や送風ファンの冷却要素がそのまま対面する室内の冷却に生かせる。
【００１５】
請求項５に記載の発明は、請求項１から４のいずれか一項に記載の発明において、樹脂のヒンジ機構部を薄肉化し、冷却器ユニットと一体化したことにより、部品数を低減し、冷却器や除霜ヒーターなどとの配置関係を一定に保つことができ組み立て精度が向上する。
【００１６】
請求項６に記載の発明は、請求項１から４のいずれか一項に記載の発明において、除霜関連部品は少なくとも除霜ヒーターと除霜終了検知器とよりなることを特徴とするものであり、少なくとも除霜終了検知器を加えることで最低限必要な除霜関連部品を一体組み立てできる。さらに、除霜時温度過昇防止用の温度ヒューズなどを付加すれば、安全装置も含めて一体組み立てできる。
【００１７】
請求項７に記載の発明は、請求項１から６のいずれか一項に記載の発明において、冷却器から圧縮機に接続される毛細管と吸入管を冷却ユニットごとに構成することができる。
【００１８】
以下、本発明の実施の形態について、図面を参照しながら説明する。なお、この実施の形態によってこの発明が限定されるものではない。
【００１９】
（実施の形態１）
図１は、本発明の実施の形態１における冷蔵庫の断面図である。図２（ａ）は同実施の形態の冷蔵庫における冷蔵用冷却ユニットの斜視図である。図２（ｂ）は同実施の形態の冷蔵庫における冷凍用冷却ユニットの斜視図である。図３は同実施の形態の冷却ユニットの背面からの斜視図である。図４は同実施の形態の冷却ユニットの組み立て前の斜視図である。図５は同実施の形態の冷却ユニットの組み立て後の斜視図である。
【００２０】
図１において、３０は冷蔵庫本体であって、３１は断熱箱体を形成する外箱であり、３２は充填された発泡断熱材であり、３３は冷蔵庫本体３０の内壁を形成する内箱である。冷蔵室３４の下部には製氷室３５と切替室３６があり、製氷室３５と切替室３６の下部には野菜室３７があり、野菜室３７の下部には冷凍室３５があり、それぞれ、断熱仕切壁３９で仕切られている。
【００２１】
４０は冷蔵室３４の前面開口部を閉塞する開閉式の冷蔵室扉であり、４１は製氷室３５の前面開口部を閉塞する引出し式の製氷室扉である。４２は切替室３６の前面開口部を閉塞する引出し式の切替室扉である。４３は野菜室３７の前面開口部を閉塞する引出し式の野菜室扉である。４４は冷凍室３８の前面開口部を閉塞する引出し式の冷凍室扉である。４５は野菜室３７の後方に配置される冷凍用冷却器室であり、冷凍用冷却器室４５には冷凍用冷却器４９、冷凍用冷却器４９の下方に冷凍用除霜ヒーター４６が収納され、その下方に冷凍用冷却器４９の冷凍用除霜ヒーター４６による除霜水を受ける冷凍用水受け皿４７が設けられている。また冷凍用冷却器４９の上方で断熱仕切壁３９ｂの後方には冷凍用送風ファン４８が設けられている。５３は冷蔵室３４の後方に配置される冷蔵用冷却器室であり、冷蔵用冷却器室５３には冷蔵用冷却器５６、冷蔵用冷却器５６の後方に冷蔵用除霜ヒーター５７が収納され、その下方に冷蔵用冷却器５６の冷蔵用除霜ヒーター５７による除霜水を受ける冷蔵用水受け皿５４が設けられている。また冷蔵用冷却器５６の上方には冷蔵用送風ファン５５が設けられている。
【００２２】
また冷蔵庫３０の後方下部には機械室５０を有し圧縮機５１を配置し、上部には冷凍用水受け皿４７と冷蔵用水受け皿５４の水を溜めて圧縮機５１の熱で蒸発させる蒸発皿５２が備えられている。
【００２３】
図２において、図１のように冷蔵庫３０が組み立てられる過程について説明する。
【００２４】
冷蔵用冷却器５６と、冷蔵用除霜ヒーター５７や温度センサーよりなる冷蔵用除霜終了検知器５８ａで、冷蔵用冷却ユニット５６ａが組立てられる。
【００２５】
また冷蔵用冷却器５６には冷蔵用冷却器５６の出口部にあらかじめロウ付けして接続された液溜め器６２ａに接続した冷蔵凍用吸入管６３と熱交換される冷蔵用毛細管６４が形成されている。
【００２６】
冷凍用冷却器４９と、冷凍用除霜ヒーター４６や温度センサーよりなる冷凍用除霜終了検知器５８ｂや温度ヒューズなど温度過昇防止用の安全装置（図示せず）などの除霜関連部品５９は樹脂製の保持部材６０（例えばポリプロピレン樹脂）に係止され、冷凍用冷却ユニット６１が組立てられる。
【００２７】
保持部材６０の両側部は冷凍用冷却器４９が取付けられる方向に向かってフランジ部６０ａを有し断面略コ字状を形成している。６０ｂは冷凍用冷却器４９を保持部材６０に引掛けて固定する固定用爪であり、６０ｃは液溜め器６２ｂと除霜センサー５８ｂを保持する保持部である。６０ｄは保持部材６０の下部に一体成形された挟持部材であり除霜装置４６を挟持する。また除霜装置４６の下部には冷凍用冷却器４９の除霜水を受ける樋状の水受け皿４７が保持部材６０と一体に成形されている。これらの係合部材はすべて保持部材６０に一体成形で形成されている。
【００２８】
また保持部材６０には冷凍用冷却器４９の出口部にあらかじめロウ付けして接続された液溜め器６２ｂに接続した冷凍用吸入管６３と熱交換される冷凍用毛細管６４が形成されている。
【００２９】
図３は冷凍用冷却ユニット６１の背面からの斜視図であり、６５は保持部材６０の上下左右方向に格子状に一体成形された補強部材である。６６は補強部材６５内に上下左右から外箱に向かう切欠き部６６ａを有する収納部である。
【００３０】
図４において６７ａは内箱３３の背面上方に開口された開口部であり、冷蔵用冷却ユニット５６ａは図４のように内箱３３の背面上方向からすなわち、発泡断熱材３２が充填される側から取付けられる。６７ｂは内箱３３の背面に開口された開口部であり、冷凍用冷却ユニット６１は図４のように内箱３３の背面方向からすなわち、発泡断熱材３２が充填される側から取付けられる。
【００３１】
図５において、冷蔵用吸入管６８と冷凍用吸入管６３は機械室５０内で溶接され、また冷凍用毛細管６９と冷凍用毛細管６３も機械室５０内で溶接している。
【００３２】
以上のように構成された冷蔵庫について、以下その動作を説明する。
【００３３】
まず、冷凍用毛細管６４と半田付けされた冷凍用吸入管６３が冷凍用冷却器４９に溶接される。そして、この組み立て品を保持部材６０の固定用爪６０ｂに冷凍用冷却器４９を引掛けて固定する。このとき開口部６７ｂは野菜室３７の背面領域内に設け、断熱仕切壁３９に干渉して冷凍用冷却ユニット６１の取り付けに支障を生じることがない。また、無効スペースを低減できるので野菜室３７の有効内容積をアップすることができる。
【００３４】
そして除霜ヒーター４６や冷凍用除霜終了検知器５８ｂ、温度ヒューズなどの除霜関連部品５９をそれぞれ挟持部材６０ｄや保持部６０ｃなどに係合させて固定される。つまり、部品の取付けが広い場所で行えることができるので、作業性の向上、組立精度の向上を図ることができる。
【００３５】
そして、保持部材６０の背面に形成した収納部６６の切欠き部６６ａに冷凍用吸入管６３を蛇行させて保持部材６０の投影面内に這わせるので、梱包箱に詰めて次工程に運搬する時や共栄会社等で組み立てられた冷凍用冷却ユニット６１を搬入するときなど梱包しやすく、物流性を高めることができる。また、取り扱い時の冷凍用吸入管６３の変形，折れなどの破損を防止することができ、断熱材３２の発泡時に冷凍用吸入管６３が移動して外箱３１や内箱３３に接触することによる結露などの品質問題が発生することがない。また、冷凍用冷却器４９と先にロウ付けを行なっても、挿入可能な為、ロウ付けによる内箱３３の変形や他部品への延焼を防止できる。
【００３６】
さらに、冷凍用吸入管６３は蛇行させて保持部材６０の投影面内に這わせることにより、少ないスペースで長さ寸法の調整が可能となり、冷却ユニットを複数もつ冷蔵庫など冷却システムが複雑な冷蔵庫で冷凍用吸入管６３と冷凍用毛細管６４の長さを持て余す場合に効率よく収容することができる。
【００３７】
そして次工程では冷凍用冷却ユニット６１が開口部６７に内箱３３の背面側から挿入固定される。また開口部６７の大きさは冷却ユニット６１より小さく、冷却ユニット６１を斜めに倒しながら下端部から挿入される。そして下端部が内箱３３に当れば、これが位置決めとなり、保持部材６０の上端が断熱材側３９にあたるまで回転させる。
【００３８】
このように、冷凍用冷却ユニット６１の冷凍用冷却器４９や除霜関連部品５９は内箱３３内へ、基部となる保持部材６０の上端部と両フランジ部６０ａは開口部６７内に入り込まず、内箱３３の外側に配置され断熱材３２内に埋没させる。そして保持部材６０の下端部は開口部６７内に入り込み、水受け皿４７が除霜ヒーター４６の下部に配置されるので、冷却器室４９のスペースにかかわらずほぼ同じ姿勢で冷凍用冷却ユニット６１を組み込むことができる。また、庫内への断熱材３２の洩れを防ぐことができる。また保持部材６０のガタつきを低減することができる。また、内箱３３を伝った結露水及び食品汁が断熱材３２側に侵入するのを防止できる。
【００３９】
そして、冷蔵用冷却ユニット５６ａと冷凍用冷却ユニット６１が挿入された内箱３３は、外箱３１に組み込まれ発泡断熱材３２が充填される。そして冷却ユニット６１背面に流入する断熱材３２は、切欠き部６６ａから収納部６６内に流入されるので、断熱材３２を全体に行き渡らせることができる。このため、空洞部が生じることはなく、断熱性が低下して結露や冷却性能の低下が発生することを防止できる。また切欠き部６６ａに載置された冷凍用吸入管５３はそのまま充填された断熱材３２で固定される。
【００４０】
この時、断熱材３２の発泡前に内箱３３にあらかじめ断熱仕切壁３９が取り付けられ、冷蔵用冷却ユニット５６ａおよび冷凍用冷却ユニット６１と一緒に断熱材３２が充填されれば断熱仕切壁３９を断熱材３２で固定でき、意匠的にも優れている。
【００４１】
そして、断熱材３２の発泡による保持部材６０の変形を格子形状の補強部材６５によって防止することができ、取り付けられた冷凍用冷却器４９や除霜関連部品５９が変形，破損したり位置ずれを起こして品質問題が発生することを避けられる。
【００４２】
そして、冷凍用冷却ユニット６１と冷蔵用冷却ユニット５６ａを圧縮機５１に対して並列に配置することで、冷凍用冷却ユニット６１と冷蔵用冷却ユニット５６ａを独立して組み立てることができ、作業効率が向上する。また、機械室５０内で溶接をできるので、作業性および品質が向上する。
【００４３】
なお、本実施の形態では冷凍用冷却器４９を備えた冷凍用冷却ユニット６１を野菜室３７の後方に配置したもので説明したが、冷凍室３８の後方に配置してもよい。この場合、冷凍用冷却器４９と冷凍室３８の区画壁を断熱性の高いものにする必要がなく、省スペース、低コスト化を図ることができる。また、冷凍室３８の冷却効率を高めることができる。
【産業上の利用可能性】
【００４４】
以上のように、本発明にかかる、冷蔵庫は冷却ユニットを複数備えたものにおいて、組立作業性、品質の向上、低コスト化が可能となるので、冷却貯蔵庫等の用途にも適用できる。
【図面の簡単な説明】
【００４５】
【図１】本発明の実施の形態１における冷蔵庫の断面図
【図２】（ａ）は本発明の実施の形態１における冷蔵用冷却ユニットの斜視図（ｂ）は本発明の実施の形態１における冷凍用冷却ユニットの斜視図
【図３】本発明の実施の形態１における冷却ユニットの背面からの斜視図
【図４】本発明の実施の形態１における冷却ユニットの組み立て前の斜視図
【図５】本発明の実施の形態１における冷却ユニットの組み立て後の斜視図
【図６】従来の冷蔵庫の断面図
【符号の説明】
【００４６】
３０  冷蔵庫本体
３１  外箱
３２  断熱材
３３  内箱
３７  野菜室
３８  冷凍室
３９  断熱仕切体
４６  冷凍用除霜ヒーター
４７、５２  水受け皿
４８  送風ファン
４９  冷凍用冷却器
５０  機械室
５１  圧縮機
５６ａ  冷蔵用冷却ユニット
５９  除霜関連部材
６０  保持部材
６１  冷凍用冷却ユニット
６３、６８  吸入管
６４、６９  毛細管
６５  補強部材
６６  収納部
６７ａ、６７ｂ  開口部
【図１】
2006010239.tif 000003
【図２】
2006010239.tif 000004
【図３】
2006010239.tif 000005
【図４】
2006010239.tif 000006
【図５】
2006010239.tif 000007
【図６】
2006010239.tif 000008